(57)【特許請求の範囲】
【請求項１】
光源が配設された回路基板と、
前記光源に対応した位置に形成され、前記光源から発せられる光を集光させるレンズ部と、
前記レンズ部を配設するための基部とを有するレンズアレイからなるレンズ部材と、
前記レンズ部を取り巻く開口部が形成されたフレーム部を有するケース体と、緑色光用と赤色光用とでそれぞれ備え、
前記レンズ部からそれぞれ出射される前記光源の光をダイクロイックミラーによって混色し、この混色光を被照明部材となる液晶表示パネルに透過照明して、表示光を投射することで虚像を表示するヘッドアップディスプレイの照明装置であって、
前記レンズ部材は、前記基部の背後側に前記回路基板と当接するように延出する壁部と、
その背後に突出形成された位置決め部と、突起部とを有し、
前記フレーム部には、前記基部を前記回路基板と前記フレーム部との間に介在させるように、前記回路基板に設けられた被係合部と係合する係合部と、前記壁部の突出部に当接する当接部と、が設けられ、
前記回路基板には、前記位置決め部が位置決めされる被位置決め部と、前記突起部が遊嵌する遊嵌部が形成され、
前記位置決め部は、前記基部の長手方向に沿うように延在する前記壁部の略中央部分に位置することを特徴とするヘッドアップディスプレイの照明装置。
【発明の詳細な説明】
【技術分野】
【０００１】
本発明は、光源が実装された回路基板と、光源から発せられる光を集光させるレンズ部を有するレンズ部材とを有し、レンズ部から出射される光によって液晶表示パネル（被照明部材）を照明するヘッドアップディスプレイの照明装置に関するものである。
【背景技術】
【０００２】
従来、この種の照明装置としては、光源（ＬＥＤ）が実装された回路基板と、光源に対応した位置に形成され、光源から発せられる光を集光させるレンズ部を有するレンズ部材とを有し、光源の発光に伴い、レンズ部から出射する光を被照明部材である液晶表示パネルに供給し、液晶表示パネルが発する表示光を凹面鏡で反射させ、虚像を表示するヘッドアップディスプレイに用いられるものが知られている。
【０００３】
例えば下記特許文献１に開示された被照明部材の照明に用いられる照明装置は、緑色光源と、赤色光源と、緑色光源が実装（配設）された第１の回路基板と、赤色光源が実装された第２の回路基板と、緑色光源が発する緑色光を集光させる複数の第１のレンズ部を有する第１のレンズ部材と、赤色光源が発する赤色光を集光させる複数の第２のレンズ部を有する第２のレンズ部材と、各第１のレンズ部から出射する緑色光を透過させるとともに各第２のレンズ部から出射する赤色光を反射させるダイクロイックミラーとを備えている。
【０００４】
ダイクロイックミラーは、緑色光並びに赤色光の進行方向側にあって、緑色光と赤色光とが交差する位置に４５度傾斜した状態で配設される。緑色光源から発せられる緑色光は、緑色光源に対向するように設けられた受光面を通じて各第１のレンズ部に入射し、各第１のレンズ部の表面に形成された球面部から直進光として出射し、平行光束化されてダイクロイックミラーに到達する。赤色光源から発せられる赤色光は、赤色光源に対向するように設けられた受光面を通じて各第２のレンズ部に入射し、各第２のレンズの表面に形成された球面部から直進光として出射し、平行光束化されてダイクロイックミラーに到達する。このダイクロイックミラーは、緑色光源が発した緑色光を透過させるとともに、赤色光源が発した赤色光を反射させるものである。
【０００５】
このような構成によって、緑色光源から発せられる緑色光と、赤色光源から発せられる赤色光とが、各第１、第２のレンズ部から出射され、ダイクロイックミラーを通じて混色されて、液晶表示パネル側に緑色光と赤色光を混色した混色光である橙色光として進み、この橙色光によって液晶表示パネルが透過照明される。かかる透過照明により液晶表示パネルが発する表示光（橙色光）は凹面鏡で反射された後、さらに、フロントガラスでドライバーの方向に反射され、これによりドライバーは虚像を視認することができる。
【特許文献１】特開２００７−１１４７４３号公開
【発明の開示】
【発明が解決しようとする課題】
【０００６】
ところで、図１０は従来の照明装置における前述した第１の回路基板と第１のレンズ部材との位置関係または前述した第２の回路基板と第２のレンズ部材との位置関係を示す断面図である。なお、以下の説明では、第１の回路基板と第１のレンズ部材との位置関係についてのみ説明し、第２の回路基板と第２のレンズ部材との位置関係は第１の回路基板と第１のレンズ部材との位置関係と同一であるため説明を省略する。図１０において、２００は第１の回路基板、２１０は第１のレンズ部材を示している。これら第１の回路基板２００，第１のレンズ部材２１０は、緑色光源２０１の発光部が第１のレンズ部材２１０の受光面Ｙと離間するように組み付けられる。そして、図１０では第１の回路基板２００，第１のレンズ部材２１０の外装ケースを構成する部品として合成樹脂からなる第１のケース体２２０を用いた構成となっている。
【０００７】
かかる第１のケース体２２０は、第１のレンズ部材２１０の第１のレンズ部２１１と、第１のレンズ部２１１を搭載（配設）する基部２１２と、緑色光源２０１の発光部と受光面Ｙとの距離を一定に保つべく、緑色光源２０１を取り囲むように基部２１２の外周部から垂下形成される周壁部２１３とを取り巻く開口部Ｋが形成されたフレーム部２２１と、フレーム部２２１の下端側から外方に延在するフランジ２２２とを有し、このフランジ２２２と第１の回路基板２００とによって周壁部２１３の下端側外方に延在する鍔部２１４を挟持してなる。
【０００８】
しかしながら、図１０に示すように、第１の回路基板２００に設けられた孔２０２と、鍔部２１４に設けられた孔２１５と、フランジ２２２に設けられた孔２２３とにネジ２３０を貫通させ、第１の回路基板２００，第１のレンズ部材２１０，第１のケース体２２０の三者がネジ固定され、緑色光源２０１が発光した場合、緑色光源２０１の発光に伴い生じる熱が第１のレンズ部材２１０に伝わる。すると、第１のレンズ部材２１０が前記熱の影響を受けて熱変形し、例えば、図１１に示すように、略ドーム状に歪んでしまうことがあった。またこのように、第１のレンズ部材２１０（受光面Ｙと第１のレンズ部材）が歪んでしまうと、変形したレンズ部２１１を透過する緑色光源２０１からの光が影響を受け、特に、各第１のレンズ部２１１の外周部から出射される緑色光が図１１中、矢印に示すごとく、外側に屈折することで各レンズ部２１１から出射される緑色光が、平行光束化されないでダイクロイックミラーに到達してしまうという問題を有していた。
【０００９】
また、各第１のレンズ２１１から出射される緑色光、及び前記各第２のレンズから出射される赤色光が平行光束化されない状態でダイクロイックミラーに到達した場合、緑色光と赤色光との混色光が色ムラを有した状態で液晶表示パネル側に導かれることになる。これに伴い、液晶表示パネルが発する表示光も色ムラを有した状態でフロントガラスに至り、ドライバーは色ムラのある虚像を視認してしまうという障害が生まれる。
【００１０】
そこで本発明は、前述の課題に対して対応するため、レンズ部から出射される光を略平行光束化させることが可能なヘッドアップディスプレイの照明装置を提供することを目的とする。
【課題を解決するための手段】
【００１１】
本発明は前記課題を解決するため、光源が配設された回路基板と、前記光源に対応した位置に形成され、前記光源から発せられる光を集光させるレンズ部と、前記レンズ部を配設するための基部とを有するレンズアレイからなるレンズ部材と、前記レンズ部を取り巻く開口部が形成されたフレーム部を有するケース体と、緑色光用と赤色光用とでそれぞれ備え、前記レンズ部からそれぞれ出射される前記光源の光をダイクロイックミラーによって混色し、この混色光を被照明部材となる液晶表示パネルに透過照明して、表示光を投射することで虚像を表示するヘッドアップディスプレイの照明装置であって、前記レンズ部材は、前記基部の背後側に前記回路基板と当接するように延出する壁部と、その背後に突出形成された位置決め部と、突起部とを有し、前記フレーム部には、前記基部を前記回路基板と前記フレーム部との間に介在させるように、前記回路基板に設けられた被係合部と係合する係合部と、前記壁部の突出部に当接する当接部と、が設けられ、前記回路基板には、前記位置決め部が位置決めされる被位置決め部と、前記突起部が遊嵌する遊嵌部が形成され、前記位置決め部は、前記基部の長手方向に沿うように延在する前記壁部の略中央部分に位置することを特徴とするヘッドアップディスプレイの照明装置。
【００１２】
【００１３】
【００１４】
【００１５】
【発明の効果】
【００１６】
本発明によれば、初期の目的を達成でき、レンズ部から出射される光を略平行光束化させることが可能なヘッドアップディスプレイの照明装置を提供できる。
【発明を実施するための最良の形態】
【００１７】
以下、本発明の一実施形態を車載用のヘッドアップディスプレイ装置に適応したものを、添付図面の図１から図９に基づいて説明する。
【００１８】
図１で示すように、ヘッドアップディスプレイ装置は、車両１０のダッシュボード１１に設けられた表示装置１２が投射する表示光Ｌをフロントガラス１３によって車両１１の利用者（ドライバー）１４側に反射させ、虚像Ｖを表示するものである。利用者１４は、虚像Ｖを風景と重畳させて視認することができる。
【００１９】
また、表示装置１２は、図２に示すように、液晶表示器２０と、反射器９０と、ハウジング１００とから主に構成されている。
【００２０】
液晶表示器２０は、図３に示すように、周知の液晶表示パネル２１と、この液晶表示パネル２１を照明する照明装置２２とを有する。照明装置２２は、緑色光用照明ユニット２２aと、赤色光用照明ユニット２２ｂと、緑色光用照明ユニット２２aから出射される後述する緑色光Ｌ１を透過するとともに赤色光用照明ユニット２２ｂから出射される後述する赤色光Ｌ２を反射させるダイクロイックミラー２２ｃとを備えている。
【００２１】
緑色光用照明ユニット２２aは、図４および図５に詳しく示すように、第１の回路基板３０と、第１のレンズアレイ（レンズ部材）４０と、第１のケース体５０とを備える。
【００２２】
第１の回路基板３０は、周知の硬質回路基板からなり、図４から図６に示すように緑色光用発光ダイオード３１と、ネジ孔３２と、位置決め孔（被位置決め部）３３と、遊挿孔３４と、切り欠き部３５とを有する。なお第１の回路基板３０は、請求項１における回路基板に相当する。
【００２３】
緑色光用発光ダイオード３１は、例えばＬＥＤなどを用いた緑色光を発する光源であり、第１の回路基板３０に実装される。この場合、第１の回路基板３０上には８個の緑色光用発光ダイオード３１が高密度実装されている。なお緑色光用発光ダイオード３１は請求項１における光源に相当する。
【００２４】
ネジ孔３２は、第１の回路基板３０の表裏を貫通する略円形の貫通孔からなり、第１の回路基板３０の角部近傍に各々設けられている。
【００２５】
位置決め孔３３は、第１の回路基板３０の表裏を貫通する略円形の貫通孔からなり、この場合図６中、第１の回路基板３０を左右に二等分する仮想線Ｐ１上であって、且つ第１の回路基板３０の中心点Ｃ１の下方側に設けられている。遊挿孔３４は、第１の回路基板３０の表裏を貫通する長孔からなり、図６に示すように、その中心点Ｃ３と位置決め孔３３の中心点Ｃ２とを結ぶ仮想線Ｐ２に沿うように設けられている。
【００２６】
切り欠き部３５は、各ネジ孔３２のやや内側となる第１の回路基板３０の側面に形成された凹状の切り欠きからなり、第１のケース体５０の後述する係合部を係止させる係止部（被係合部）からなる。
【００２７】
第１のレンズアレイ４０は、例えばアクリルなどの透光性の合成樹脂からなり、基部４１と周壁部（壁部）４２とを有している。基部４１は、緑色光用発光ダイオード３１からの光を受光する受光面４１aと、受光面４１aを通じて基部４１内に入射する光を集光させる８個のレンズ部４１ｂとを有し、レンズ部４１ｂは各緑色光用発光ダイオード３１にそれぞれ対応するように設けられ、基部４１の表面側に略半球形状をなすように突出形成されてなる。
【００２８】
周壁部４２は、基部４１の背後側周縁にて第１の回路基板３０の前面と当接するように延出する壁部からなる。周壁部４２には、フランジ部４２aと、位置決め部４２ｂとが一体形成されている。フランジ部４２aは、第１のレンズアレイ４０の長手方向とは直交する方向の一方の壁（図４中、第１のレンズアレイ４０の左方に位置する周壁部４２）の外方に延在してなり、その底面から背後側には遊挿孔３４に遊挿するボス形状からなる突起部４２ｄが突出形成されている。位置決め部４２ｂは位置決め孔３３に対応するように周壁部４２に一体形成されたボス部からなり、この場合、第１のレンズアレイ４０の長手方向における一方の壁（図４中、第１のレンズアレイ４０の下方に位置する周壁部４２）の中央底面から突起部４２ｄと略平行状態をなすように突出形成され、位置決め部３３に位置決めされるものである。なお、図４、図５中、４２ｃは位置決め部４２ｂの右方に位置し、位置決め部４２ｂの形成された周壁部４２箇所の側方に突出形成された突出部である。また、４２ｃは一対の突出部であり、一方の突出部４２ｃは図５に示すように位置決め部４２ｂの右方に位置し、他方の突出部４２ｃは基部４１の中心点（図示せず）を中心として、一方の４２ｃの対角に対応した箇所に設けられる。つまり他方の突出部４２ｃは、図５中、下方に位置する周壁部４２の外周側に突出形成されている。
【００２９】
第１のケース体５０は、合成樹脂からなり、レンズ部４１ｂを取り巻くフレーム部５１と、鍔部５２とを有する。フレーム部５１は略枠状に形成され、その内部に略矩形状の空洞孔からなる開口部５１aを有している。またフレーム部５１は各切り欠き部３５に対応する位置にフレーム部５１から垂下形成される４つの腕片５１ｂを有し、各腕片５１ｂの先端にフック部からなる係合部５１ｃが設けられている。係合部５１ｃは、切り欠き部３５と係合するようにフレーム部５１に一体形成されてなる。なお、５１ｄは一対の突出部４２ｃの真上にそれぞれ位置し、且つ、フレーム部５１から各突出部４２ｃ側に突出形成された当接部である。また、フレーム部５１の左右方向には一対の鍔部５２が延長形成され、各鍔部５２はネジ孔３２に連通する孔部５２aを有する。この場合、各鍔部５２には２つの孔部５２aが各々形成される。なお、第１のケース体５０は請求項１におけるケース体に相当する。
【００３０】
そして、本実施形態の場合、位置決め部４２ｂが位置決め孔３３に位置決めされるとともに、突起部４２ｂが遊挿孔３４に遊挿されることで、各緑色光用発光ダイオード３１が各レンズ部４１ｂに対応するように第１のレンズアレイ４０が第１の回路基板３０上に搭置される。このとき突起部４２ｂは図６中、緑色光用発光ダイオード３１側となる遊挿孔３４に遊挿される構成となっている。その後、各係合部５１ｃが被係合部である各切り欠き部３５の背面側に係止されることで、各レンズ部４１ｂが開口部５１aを臨むように、第１のケース体５０と第１のレンズアレイ４０を搭置する第１の回路基板３０とが仮固定される。この際、基部４１が第１の回路基板３０とフレーム部５１との間に介在するように、第１のケース体５０と第１の回路基板３０とが仮固定される。
【００３１】
すると、各孔部５２aが各ネジ孔３２に連通するとともに突出部４２ｃが当接部５１ｄと第１の回路基板３０との間にサンドイッチされ、これにより当接部５１ｄが突出部４２ｃと当接する状態となる。その後、ネジＳを孔部５２a、ネジ孔３２に貫通させネジ孔３２の背後に突出するネジＳのネジ部下端側をナット等を用いて固定することでレンズ部材４０を搭置してなる第１の回路基板３０と第１のケース体５０とが本固定される。
【００３２】
赤色光用照明ユニット２２aは、図７および図８に詳しく示すように、第２の回路基板６０と、第２のレンズアレイ（レンズ部材）７０と、第１のケース体８０とを備える。
【００３３】
第２の回路基板６０は、周知の硬質回路基板からなり、図７から図９に示すように赤色光用発光ダイオード６１と、ネジ孔６２と、位置決め孔（被位置決め部）６３と、遊挿孔６４と、切り欠き部６５とを有する。なお第２の回路基板６０は、請求項１における回路基板に相当する。
【００３４】
赤色光用発光ダイオード６１は、例えばＬＥＤなどを用いた赤色光を発する光源であり、第２の回路基板６０に実装される。この場合、第２の回路基板６０上には８個の赤色光用発光ダイオード６１が高密度実装されている。なお赤色光用発光ダイオード６１は請求項１における光源に相当する。
【００３５】
ネジ孔６２は、第２の回路基板６０の表裏を貫通する略円形の貫通孔からなり、第２の回路基板６０の角部近傍に各々設けられている。
【００３６】
位置決め孔６３は、第２の回路基板６０の表裏を貫通する略円形の貫通孔からなり、この場合図９中、第２の回路基板６０を左右に二等分する仮想線Ｐ１上であって、且つ第２の回路基板６０の中心点Ｃ１の下方側に設けられている。遊挿孔６４は、第２の回路基板６０の表裏を貫通する長孔からなり、図９に示すように、その中心点Ｃ３と位置決め孔６３の中心点Ｃ２とを結ぶ仮想線Ｐ２に沿うように設けられている。
【００３７】
切り欠き部６５は、各ネジ孔６２のやや内側となる第２の回路基板６０の側面に形成された凹状の切り欠きからなり、第２のケース体８０の後述する係合部を係止させる係止部（被係合部）からなる。
【００３８】
第２のレンズアレイ７０は、例えばアクリルなどの透光性の合成樹脂からなり、基部７１と周壁部（壁部）７２とを有している。基部７１は、赤色光用発光ダイオード６１からの光を受光する受光面７１aと、受光面７１aを通じて基部７１内に入射する光を集光させる８個のレンズ部７１ｂとを有し、レンズ部７１ｂは各赤色光用発光ダイオード６１にそれぞれ対応するように設けられ、基部７１の表面側に略半球形状をなすように突出形成されてなる。
【００３９】
周壁部７２は、基部７１の背後側周縁にて第２の回路基板６０の前面と当接するように延出する壁部からなる。周壁部７２には、フランジ部７２aと、位置決め部７２ｂとが一体形成されている。フランジ部７２aは、第２のレンズアレイ７０の長手方向とは直交する方向の一方の壁（図７中、第２のレンズアレイ７０の左方に位置する周壁部７２）の外方に延在してなり、その底面から背後側には遊挿孔６４に遊挿するボス形状からなる突起部７２ｄが突出形成されている。位置決め部７２ｂは位置決め孔６３に対応するように周壁部７２に一体形成されたボス部からなり、この場合、第２のレンズアレイ７０の長手方向における一方の壁（図７中、第２のレンズアレイ７０の下方に位置する周壁部７２）の中央底面から突起部７２ｄと略平行状態をなすように突出形成され、位置決め部６３に位置決めされるものである。なお、図７、図８中、７２ｃは位置決め部７２ｂの右方に位置し、位置決め部７２ｂの形成された周壁部７２箇所の側方に突出形成された突出部である。また、７２ｃは一対の突出部であり、一方の突出部７２ｃは図８に示すように位置決め部７２ｂの右方に位置し、他方の突出部７２ｃは基部７１の中心点（図示せず）を中心として、一方の７２ｃの対角に対応した箇所に設けられる。つまり他方の突出部７２ｃは、図８中、下方に位置する周壁部７２の外周側に突出形成されている。
【００４０】
第２のケース体８０は、合成樹脂からなり、レンズ部７１ｂを取り巻くフレーム部８１と、鍔部８２とを有する。フレーム部８１は略枠状に形成され、その内部に略矩形状の空洞孔からなる開口部８１aを有している。またフレーム部８１は各切り欠き部６５に対応する位置にフレーム部８１から垂下形成される４つの腕片８１ｂを有し、各腕片８１ｂの先端にフック部からなる係合部８１ｃが設けられている。係合部８１ｃは、切り欠き部６５と係合するようにフレーム部８１に一体形成されてなる。なお、８１ｄは一対の突出部７２ｃの真上にそれぞれ位置し、且つ、フレーム部８１から各突出部７２ｃ側に突出形成された当接部である。また、フレーム部８１の左右方向には一対の鍔部８２が延長形成され、各鍔部８２はネジ孔６２に連通する孔部８２aを有する。この場合、各鍔部８２には２つの孔部８２aが各々形成される。なお、第２のケース体８０は請求項１におけるケース体に相当する。
【００４１】
そして、本実施形態の場合、位置決め部７２ｂが位置決め孔６３に位置決めされるとともに、突起部７２ｂが遊挿孔６４に遊挿されることで、各赤色光用発光ダイオード６１が各レンズ部７１ｂに対応するように第２のレンズアレイ７０が第２の回路基板６０上に搭置される。このとき突起部７２ｂは図９中、赤色光用発光ダイオード６１側となる遊挿孔６４に遊挿される構成となっている。その後、各係合部８１ｃが被係合部である各切り欠き部６５の背面側に係止されることで、各レンズ部７１ｂが開口部８１aを臨むように、第２のケース体８０と第２のレンズアレイ７０を搭置する第２の回路基板６０とが仮固定される。この際、基部７１が第２の回路基板６０とフレーム部８１との間に介在するように、第２のケース体８０と第２の回路基板６０とが仮固定される。
【００４２】
すると、各孔部８２aが各ネジ孔６２に連通するとともに突出部７２ｃが当接部８１ｄと第２の回路基板６０との間にサンドイッチされ、これにより当接部８１ｄが突出部７２ｃと当接する状態となる。その後、ネジＳを孔部８２a、ネジ孔６２に貫通させネジ孔６２の背後に突出するネジＳのネジ部下端側をナット等を用いて固定することでレンズ部材７０を搭置してなる第２の回路基板６０と第２のケース体８０とが本固定される。
【００４３】
ダイクロイックミラー２２ｃは、ガラス基板の前面（液晶表示パネル２１と向かい合う面）に蒸着により形成された反射膜を有してなるもので、第１のレンズアレイ４０（各レンズ部４１ｂ）から出射される緑色光Ｌ１の進行方向並びに第２のレンズアレイ７０（各レンズ部７１ｂ）から出射される赤色光Ｌ２の進行方向に対して各々略４５度の傾きを有するように傾斜配置される。  
【００４４】
かかるダイクロイックミラー２２ｃは、各緑色光用発光ダイオード３１が発した各緑色光Ｌ１を透過させるとともに、各赤色光用発光ダイオード６１が発した各赤色光Ｌ２を反射させるものである。ダイクロイックミラー２２ｃを透過する各緑色光Ｌ１と、ダイクロイックミラー２２ｃを通じて反射される各赤色光Ｌ２とが、ダイクロイックミラー２２ｃによって混色され、この混色光（橙色光）Ｌ３が液晶表示パネル２１に導かれる。これにより、液晶表示パネル２１からは表示光Ｌが発せられる。
【００４５】
反射器９０は、図２に示すように凹面鏡９１、保持部材９２及びステッピングモータ９３を有している。凹面鏡９１は、樹脂（例えばポリカーボネート）に金属（例えばアルミニウム）を蒸着させ反射面９１aを形成したものである。反射面９１aは凹面となっており、液晶表示器２０が発した表示光Ｌが拡大されて虚像Ｖが表示される。凹面鏡９１は保持部材９２に両面粘着テープにより接着されている。保持部材９２は樹脂（例えばＡＢＳ）からなるものであり、歯車部９４及び軸部９５が一体に形成されている。保持部材９２の軸部９５はハウジング１００に軸支されている。
【００４６】
ステッピングモータ９３の回動軸には歯車９６が取り付けられており、この歯車９６は、保持部材９２の歯車部９４と噛合されている。凹面鏡９１は保持部材９２とともに回動可能な状態で支持されており、ステッピングモータ９３により凹面鏡９１を回動させ、表示光Ｌの投射方向を調整することができる。利用者１４は、押ボタンスイッチ（図示しない）を操作し表示光Ｌが目の位置に反射されるように（即ち、虚像Ｖを視認できるように）凹面鏡９１の角度を調整する。
【００４７】
ハウジング１００には液晶表示器２０及び反射器９０が収容される。ハウジング１００には表示光Ｌが出射する窓部１０１が設けられている。この窓部１０１は透光性樹脂（例えばアクリル）からなるものであり、湾曲形状になっている。ハウジング１００には遮光壁１０２が設けられており、太陽光等の外光が液晶表示器２０に入射し虚像Ｖが見えにくくなる現象（ウォッシュアウト）を防止している。遮光壁１０２は平板形状になっており、ハウジング１００の上部から斜めに垂下するように形成されている。
【００４８】
かかる実施形態によれば、レンズアレイ４０，７０は、その背後に突出形成された位置決め部４２ｂ、７２ｂと突起部４２ｄ、７２ｄとを有し、回路基板３０、６０には、位置決め部４２ｂ、７２ｂが位置決めされる位置決め孔３３，６３と、突起部４２ｄ、７２ｄが遊挿される遊挿孔３４，６４が形成される。以上の構成としたことによって、発光ダイオード３１，６１の点灯に伴い、発光ダイオード３１，６１から発せられる熱がレンズ部材４０，７０に伝わった場合、レンズ部材４０，７０は位置決め孔３３，６３に位置決めされた位置決め部４２ｂ、７２ｂを基準として横方向に膨張する。このとき、図６，図９において、発光ダイオード３１，６１側となる遊挿孔３４，６４箇所に遊挿されていた位置決め部４２ｂ、７２ｂは、遊挿孔３４に遊挿された状態のまま外側（ネジ孔３２，６２側）に移動することから、基部４１，７１は歪まずに受光面４１a、７１aの平坦性が維持された状態となる。ゆえに、発光ダイオード３１，６１の点灯時であっても、レンズ部４１ｂ、７１ｂが熱変形せず、受光面４１a、７１aの平坦性が維持されるので、レンズ部４１ｂ、７１ｂから出射される発光ダイオード３１，６１の緑色光Ｌ１，赤色光Ｌ２は略平行光束化された状態で各々ダイクロイックミラー２２ｃに到達する。それによって、緑色光Ｌ１と赤色光Ｌ２とが色ムラなく混色され、液晶表示パネル２１側に導かれる混色光Ｌ３は色ムラの抑制された表示光Ｌとして液晶表示パネル２１から発せられ、これにより利用者１４は、色ムラの抑制された虚像Ｖを視認することができる。
【００４９】
また、本実施形態では、フレーム部５１，８１に設けられた当接部５１ｄ、８１ｄと、周壁部４２，７２に設けられた突出部４２ｃ、７２ｃとが当接する構成としたことによって、発光ダイオード３１，６１点灯時にレンズアレイ４０，７０が横方向に膨張した際、突起部４２ｄ、７２ｄが遊挿孔３４，６４内をネジ孔３２，６２側に移動するのと同時に、突出部４２ｃ、７２ｃが当接部５１ｄ、８１ｄを上側へ押し付ける役割を果たすため、基部４１，７１の開口部５１a、８１a方向への歪みを防ぎ、これによりレンズアレイ４０，７０の受光面４１a、７１aの平坦性を保つことができる。
【００５０】
また、本実施形態においては、位置決め部４２ｂが位置決め孔３３を貫通して、位置決め部４２ｂの下端側が第１の回路基板３０の裏側に突出する例であったが、本発明はこれに限定されない。例えば、位置決め部４２ｂの最下部（底部）を位置決め孔３３内に位置させた構成としてもよい。さらに、位置決め部４２ｂの最下部が位置決め孔３３の途中に位置している場合、位置決め孔３３の底部側を塞いだ凹部形状としてもよい。この凹部が本願請求項１における被位置決め部に相当する。なお、位置決め孔６３も、同様に凹部としてもよいことは言うまでもない。
【００５１】
また、本実施形態においては、突起部４２ｄが遊挿孔３４を貫通して、突起部４２ｄの下端側が第１の回路基板３０の裏側に突出する例であったが、本発明はこれに限定されない。例えば、突起部４２ｄの最下部（底部）を遊挿孔３４内に位置させた構成としてもよい。さらに、突起部３４の最下部が遊挿孔３４の途中に位置している場合、遊挿孔３４の底部側を塞いだ凹部形状としてもよい。この凹部が本願請求項１における遊嵌部に相当する。なお、遊挿孔６４も、同様に凹部としてもよいことは言うまでもない。
【００５２】
また、本実施形態においては、緑色光用照明ユニット２２aにおける位置決め部４２ｂと突出部４２ｄとの両方が周壁部４２に設けられているが、例えば、位置決め部４２ｂと突出部４２ｄのうち、少なくとも一方を周壁部４２側ではなく基部４１側に設けてもよい。なお、位置決め部４２ｂと突出部４２ｄのうち、少なくとも一方を基部４１に設ける場合、位置決め部４２ｂもしくは突起部４２ｄは、レンズ部４１ｂから外れた箇所に設けることが望ましい。
【００５３】
また、本実施形態においては、赤色光用照明ユニット２２ｂにおける位置決め部７２ｂと突出部７２ｄとの両方が周壁部７２に設けられているが、例えば、位置決め部７２ｂと突出部７２ｄのうち、少なくとも一方を周壁部７２側ではなく基部７１側に設けてもよい。なお、位置決め部７２ｂと突出部７２ｄのうち、少なくとも一方を基部７１に設ける場合、位置決め部７２ｂもしくは突起部７２ｄは、レンズ部７１ｂから外れた箇所に設けることが望ましい。
【００５４】
また本実施形態においては、周壁部４２，７２に突出部４２ｃ、７２ｃを設け、かかる突出部４２ｃ、７２ｃをフレーム部５１，８１に設けられた当接部５１ｄ、８１ｄと当接させる構成としたが、逆の構成でもよく、周壁部４２，７２に当接部を設け、フレーム部５１，８１に突出部を設けてもよい。その場合、周壁部４２，７２に形成された当接部は回路基板３０，６０とは反対側に向けて突出形成される。
【図面の簡単な説明】
【００５５】
【図１】本発明の一実施形態を示すヘッドアップディスプレイの概観図。
【図２】同上実施形態を示すヘッドアップですプレイの断面図。
【図３】同上実施形態を示す液晶表示器の側面図。
【図４】同上実施形態における緑色光照明ユニットを示す斜視図。
【図５】同上実施形態における緑色光照明ユニットを示す斜視図。
【図６】同上実施形態における位置決め部が位置決め孔に挿通され、突起部が遊挿孔に遊挿された状態の第１の回路基板の正面図。
【図７】同上実施形態における赤色光照明ユニットを示す斜視図。
【図８】同上実施形態における赤色光照明ユニットを示す斜視図。
【図９】同上実施形態における位置決め部が位置決め孔に挿通され、突起部が遊挿孔に遊挿された状態の第２の回路基板の正面図。
【図１０】従来技術による緑色光照明ユニットの断面図。
【図１１】従来技術によるレンズ部材が熱変形した際の緑色光照明ユニットの断面図。
【符号の説明】
【００５６】
２０    液晶表示器
２１    液晶表示パネル（被照明部材）
２２a   緑色光用照明ユニット
２２ｂ  赤色光用照明ユニット
２２ｃ  ダイクロイックミラー
３０    第１の回路基板（回路基板）
３１    緑色光用発光ダイオード（光源）
３３    位置決め孔（被位置決め部）
３４    遊挿孔（遊嵌部）
３５    切り欠き部（被係合部）
４０    第１のレンズアレイ（レンズ部材）
４１    基部
４１ｂ  レンズ部
４２    周壁部（壁部）
４２ｂ  位置決め部
４２ｃ  突出部
４２ｄ  突起部
５０    第１のケース体（ケース体）
５１    フレーム部
５１a   開口部
５１ｃ  係合部
５１ｄ  当接部
【図１】
0004811744.tif 000002
【図２】
0004811744.tif 000003
【図３】
0004811744.tif 000004
【図４】
0004811744.tif 000005
【図５】
0004811744.tif 000006
【図６】
0004811744.tif 000007
【図７】
0004811744.tif 000008
【図８】
0004811744.tif 000009
【図９】
0004811744.tif 000010
【図１０】
0004811744.tif 000011
【図１１】
0004811744.tif 000012